(57)【特許請求の範囲】
【請求項１】
入力映像信号に対し、折れ線のポイントと傾きの設定による折れ線で示される入出力特性に基づいて階調補正を行う階調補正回路において、
垂直ブランキング期間に、前記折れ線による入出力特性に基づき、設定した折れ点ポイントの入力値に対応する出力値を算出する演算手段と、
映像信号期間に、前記各折れ点に対応する入力値である各折れ線ポイントと入力映像信号との大小関係を識別し、該入力映像信号と折れ線ポイントとの差分を算出するレベル検出回路と、
前記レベル検出回路による識別結果に基づいて折れ線の傾きを選択し、該選択した折れ線の傾きと、前記演算手段により算出された出力値と、該レベル検出回路により算出された差分とに基づいて入力映像信号に対して階調補正を行う補正手段と、を備え、
前記演算手段と前記補正手段とは互いに回路を共有し、
該共有された回路は、垂直ブランキング期間では前記演算手段、前記映像信号期間では補正手段として機能する、
ことを特徴とする階調補正回路。
【請求項２】
入力映像信号に対し、折れ線で示される入出力特性に基づいて階調補正を行う階調補正回路において、
前記折れ線の複数の傾きからいずれか一つを選択する第１の選択器と、
前記折れ線の折れ点に対応する入力値である複数の折れ線ポイントの差分を計算する差分演算器と、
該差分演算器により計算された差分値のいずれか一つを選択する第２の選択器と、
前記折れ線ポイントと入力映像信号とを入力とし、該入力映像信号がどの折れ線ポイント間にあるかを識別し、該入力映像信号と折れ線ポイントとの差分を算出するレベル検出回路と、
該レベル検出回路により算出された差分値と前記第２の選択器により選択された差分値とのいずれかを選択する第３の選択器と、
前記第１の選択器により選択された折れ線の傾きと前記第３の選択器により選択された差分値とを乗算する乗算器と、
該乗算器により乗算された値を、順次足し合わせる積分器と、
該積分器により足し合わされた乗算結果を、各折れ点に対応する出力値として保持するレジスタと、
該レジスタからの出力値と前記乗算器により乗算された値とを加算する加算器と、
前記レベル検出回路からの識別結果と垂直ブランキングパルスとに基づいて、前記第１，第２，第３の選択器と前記レジスタとの制御を行う制御回路とを備え、
前記制御回路は、前記垂直ブランキングパルスにより垂直ブランキング期間の開始を検知すると、前記第１の選択器に入力されている折れ線の傾きと前記第２の選択器に入力されている折れ線ポイントの差分値とを折れ線に対応するよう順次出力するように選択信号を出力するとともに、前記第３の選択器が該第２の選択器からの出力を出力するように選択信号を出力し、前記積分器は該第１の選択器の出力信号である折れ線の傾きと該第３の選択器の出力信号である折れ線ポイントの差分とが前記乗算器により乗算されたものを順次積分して前記レジスタに出力し、該レジスタは当該折れ線ポイント毎の演算結果を保持し、
前記制御回路は、前記垂直ブランキングパルスにより映像信号期間の開始を検知すると、前記第３の選択器が前記レベル検出回路の出力信号を選択するように選択信号を出力し、該レベル検出回路からの識別結果に基づいて、前記第１の選択器に該識別結果に対応する折れ線の傾きを選択させるとともに、前記レジスタに該識別結果に対応する値を出力させるように制御を行い、前記乗算器は前記レベル検出回路の出力信号である差分と折れ線の傾きとを乗算し、前記加算器はこの乗算結果と前記レジスタに保持されたデータとを加算することにより補正を行う、
ことを特徴とする階調補正回路。
【請求項３】
請求項１または２に記載の階調補正回路を３個備えたγ補正装置であって、
第１の階調補正回路は、Ｒ信号に対して階調補正を行い、
第２の階調補正回路は、Ｇ信号に対して階調補正を行い、
第３の階調補正回路は、Ｂ信号に対して階調補正を行い、
前記第１ないし第３の階調補正回路の補正特性は、それぞれのＲＧＢ信号ごとに設定されたものであることを特徴とするγ補正装置。
【発明の詳細な説明】
【０００１】
【発明の属する技術分野】
本発明は、映像信号の階調を補正する階調補正回路、及び該階調補正回路を用いたγ補正装置に関する。
【０００２】
【従来の技術】
近年、従来からのＣＲＴに加え、ＬＣＤやＰＤＰなどのデジタル映像表示装置が広く普及してきている。これらの映像表示装置は、入力信号のレベルに対して、出力信号のレベルの階調が直線的でなく、それぞれの表示装置に固有な入出力特性をもっている。したがって、これらの表示装置に固有な表示特性に合わせて最適な映像になるように、階調補正回路によりそれぞれの表示装置の表示特性に対応する逆補正を行い、その階調補正回路の出力を表示装置に入力することが行われている。この階調補正回路を用いることにより、階調補正回路への入力と、表示装置の出力とに関する入出力特性は直線的になる。
【０００３】
この階調補正回路において、従来より、例えば補正特性をＲＡＭやＲＯＭなどの記憶装置に記憶しておき、入力信号のレベルに応じた補正データをメモリから読みだし、この信号を補正された信号とすることが行われている。
【０００４】
また、補正特性を折れ線で直線近似して、入力信号Ｘの値に対応して、折れ線を乗算器と加算器とで構成される演算回路により演算し、入力レベルに対応した演算回路の出力を選択し、補正された信号を得ることも行われている。
【０００５】
図６（ａ）は、従来の階調補正回路の構成を示すブロック図である。
図６（ａ）において、従来の階調補正回路は、乗算器と加算器とから構成され、入力信号Ｘの値に対応して折れ線の各領域の値を出力する演算回路７００、７０１、７０２と、演算回路７００、７０１、７０２の出力のいずれかを選択し、補正された補正出力信号Ｙを出力する選択回路７０３とを備える。
【０００６】
この従来の階調補正回路を用いることにより、図６（ｂ）で示されるような、入出力特性を得ることができる。
【０００７】
【発明が解決しようとする課題】
しかしながら、補正特性をＲＡＭやＲＯＭなどのメモリに記憶させておく階調補正回路では、補正特性を得るためにＲＡＭやＲＯＭなどに入力に対応する出力の値をルックアップテーブルとして記憶させておく必要があり、全てのポイントをメモリに記憶させる必要がある。したがって、階調をあげるためにビット数を増やすと、より大きな容量のメモリが必要となるという問題があった。
【０００８】
また、図６で示される従来の階調補正回路では、折れ線の直線ごとに乗算器と加算器とが必要になり、細かい折れ線による補正、すなわち精度の高い映像補正を行うために折れ線の折れ曲り点（折れ点）の数を増やすと、乗算器等の個数が増加し、回路規模が大きくなるという問題があった。
【０００９】
本発明は、かかる問題点に鑑みてなされたものであり、ルックアップテーブルを記憶させたメモリを用いることなく階調補正を行い、また、折れ線で示される入出力特性に基づいた精度の高い映像補正を回路規模を増大させることなく実現可能な階調補正回路、及びγ補正装置を提供することを目的とする。
【００１０】
【課題を解決するための手段】
上記目的を達成するため、本発明（請求項１）による諧調補正回路は、入力映像信号に対し、折れ線のポイントと傾きの設定による折れ線で示される入出力特性に基づいて階調補正を行う階調補正回路において、垂直ブランキング期間に、前記折れ線による入出力特性に基づき、設定した折れ点ポイントの入力値に対応する出力値を算出する演算手段と、映像信号期間に、前記各折れ点に対応する入力値である各折れ線ポイントと入力映像信号との大小関係を識別し、該入力映像信号と折れ線ポイントとの差分を算出するレベル検出回路と、前記レベル検出回路による識別結果に基づいて折れ線の傾きを選択し、該選択した折れ線の傾きと、前記演算手段により算出された出力値と、該レベル検出回路により算出された差分とに基づいて入力映像信号に対して階調補正を行う補正手段と、を備え、前記演算手段と前記補正手段とは互いに回路を共有し、該共有された回路は、垂直ブランキング期間では前記演算手段、前記映像信号期間では補正手段として機能することを特徴とするものである。
【００１１】
また、本発明（請求項２）による諧調補正回路は、入力映像信号に対し、折れ線で示される入出力特性に基づいて階調補正を行う階調補正回路において、前記折れ線の複数の傾きからいずれか一つを選択する第１の選択器と、前記折れ線の折れ点に対応する入力値である複数の折れ線ポイントの差分を計算する差分演算器と、該差分演算器により計算された差分値のいずれか一つを選択する第２の選択器と、前記折れ線ポイントと入力映像信号とを入力とし、該入力映像信号がどの折れ線ポイント間にあるかを識別し、該入力映像信号と折れ線ポイントとの差分を算出するレベル検出回路と、該レベル検出回路により算出された差分値と前記第２の選択器により選択された差分値とのいずれかを選択する第３の選択器と、前記第１の選択器により選択された折れ線の傾きと前記第３の選択器により選択された差分値とを乗算する乗算器と、該乗算器により乗算された値を、順次足し合わせる積分器と、該積分器により足し合わされた乗算結果を、各折れ点に対応する出力値として保持するレジスタと、該レジスタからの出力値と前記乗算器により乗算された値とを加算する加算器と、前記レベル検出回路からの識別結果と垂直ブランキングパルスとに基づいて、前記第１，第２，第３の選択器と前記レジスタとの制御を行う制御回路とを備え、前記制御回路は、前記垂直ブランキングパルスにより垂直ブランキング期間の開始を検知すると、前記第１の選択器に入力されている折れ線の傾きと前記第２の選択器に入力されている折れ線ポイントの差分値とを折れ線に対応するよう順次出力するように選択信号を出力するとともに、前記第３の選択器が該第２の選択器からの出力を出力するように選択信号を出力し、前記積分器は該第１の選択器の出力信号である折れ線の傾きと該第３の選択器の出力信号である折れ線ポイントの差分とが前記乗算器により乗算されたものを順次積分して前記レジスタに出力し、該レジスタは当該折れ線ポイント毎の演算結果を保持し、前記制御回路は、前記垂直ブランキングパルスにより映像信号期間の開始を検知すると、前記第３の選択器が前記レベル検出回路の出力信号を選択するように選択信号を出力し、該レベル検出回路からの識別結果に基づいて、前記第１の選択器に該識別結果に対応する折れ線の傾きを選択させるとともに、前記レジスタに該識別結果に対応する値を出力させるように制御を行い、前記乗算器は前記レベル検出回路の出力信号である差分と折れ線の傾きとを乗算し、前記加算器はこの乗算結果と前記レジスタに保持されたデータとを加算することにより補正を行うことを特徴とするものである。
【００１２】
また、本発明（請求項３）によるγ補正装置は、請求項１または２に記載の階調補正回路を３個備えたγ補正装置であって、第１の階調補正回路は、Ｒ信号に対して階調補正を行い、第２の階調補正回路は、Ｇ信号に対して階調補正を行い、第３の階調補正回路は、Ｂ信号に対して階調補正を行い、前記第１ないし第３の階調補正回路の補正特性は、それぞれのＲＧＢ信号ごとに設定されたものである、ことを特徴とするものである。
【００１５】
【発明の実施の形態】
（実施の形態１）
以下、本発明の実施の形態１による階調補正回路について、図面を参照しながら説明する。本実施の形態１による階調補正回路は、折れ線で示される入出力特性に基づいて階調補正を行うものである。
【００１６】
図１は、本実施の形態１による階調補正回路の構成を示すブロック図であり、図２は、本実施の形態１による階調補正回路の入出力特性を示す図であり、図３は、本実施の形態１による階調補正回路の動作を説明するためのタイミングチャートである。
【００１７】
図１において、本実施の形態１による階調補正回路１００は、制御回路１０１と、選択器１０２〜１０５と、差分演算器１０６と、レベル検出回路１０７と、積分器１０８と、レジスタ１０９と、乗算器１１０と、加算器１１１と、リミッター１１８とを備える。
【００１８】
制御回路１０１は、Ｖ（垂直）ブランキングパルス入力端子Ｐ０１から入力されるＶブランキングパルスと、レベル検出回路１０７からの識別信号Ｓ０９とに基づいて、選択信号Ｓ０１、Ｓ０２、Ｓ０４と、信号Ｓ０３により、選択器１０２〜１０５、及びレジスタ１０９の制御を行う。
【００１９】
選択器１０２は、制御回路１０１の出力する選択信号Ｓ０１に基づいて、折れ線傾きデータ入力端子Ｐ０２に設定されている折れ線の傾きａ，ｂ，ｃ，ｄのいずれか一つを選択し、選択した折れ線の傾きを傾き信号Ｓ０５として乗算器１１０に出力する。
【００２０】
選択器１０３は、制御回路１０１の出力する選択信号Ｓ０１に基づいて、差分演算器１０６により計算された差分値のいずれか一つを選択し、選択した差分値を信号Ｓ０７として選択器１０４に出力する。
【００２１】
選択器１０４は、制御回路１０１の出力する選択信号Ｓ０４に基づいて、信号Ｓ０７と差分信号Ｓ０８のいずれか一方を選択し、選択した信号を信号Ｓ１０として乗算器１１０に出力する。
【００２２】
選択器１０５は、制御回路１０１の出力する選択信号Ｓ０２に基づいて、入力信号Ｘとリミッター１１８からの信号のいずれか一方を選択し、選択した信号を補正出力信号Ｙとして映像信号出力端子Ｐ０５に出力する。
【００２３】
差分演算器１０６は、折れ線ポイント入力端子Ｐ０３に設定されている折れ線ポイントＡ，Ｂ，Ｃに対して差分演算をおこない、Ａ−０、Ｂ−Ａ、Ｃ−Ｂという各折れ線ポイント間の差分値を計算して選択器１０３に出力する。ここで、折れ線ポイントとは、図２で示される折れ線の傾きの変化点（折れ線の折れ点）に対応する入力値のことである。
【００２４】
なお、折れ線傾きデータ入力端子Ｐ０２に設定されている各折れ線の傾きａ，ｂ，ｃ，ｄと、折れ線ポイント入力端子Ｐ０３に設定されている各折れ線ポイントＡ，Ｂ，Ｃとは、図示しない設定レジスタに設定されている。この設定レジスタに設定されている値ａ，ｂ，ｃ，ｄ，Ａ，Ｂ，Ｃは、例えば、ＩＩＣバス等により、変更することができる。
【００２５】
レベル検出回路１０７は、各折れ線ポイントＡ，Ｂ，Ｃと、映像信号入力端子Ｐ０４から入力された入力信号Ｘとを比較し、入力信号Ｘのレベルがどの折れ線ポイントの間にあるかを識別し、その識別結果を識別信号Ｓ０９として制御回路１０１に出力する。また、入力信号Ｘより小さく、かつ、入力信号Ｘに一番近い折れ線ポイントと、入力信号Ｘとの差分を算出し、その差分の値を差分信号Ｓ０８として選択器１０４に出力する。ここで、映像信号入力端子Ｐ０４に入力される入力信号Ｘはデジタル映像信号である。このデジタル映像信号としては、例えば、Ｒ信号、Ｇ信号、Ｂ信号がある。
【００２６】
積分器１０８は、順次、入力された値を足し合わせ、その結果をレジスタ１０９に出力する。
レジスタ１０９は、積分器１０８から入力された値を保持する。
乗算器１１０は、選択器１０２により選択された傾き信号Ｓ０５と、選択器１０４により選択された信号Ｓ１０とに対して乗算を行う。
加算器１１１は、レジスタ１０９からの信号Ｓ１３と、乗算器１１０からの信号Ｓ１１とを加算する。
リミッター１１８は、加算器１１１からの信号Ｓ１４が所定の上限値を超えている場合に、その信号Ｓ１４を上限値に抑えて出力する。
【００２７】
次に、本実施の形態１による階調補正回路の動作について説明する。
本実施の形態１による階調補正回路１００は、図２で示される４つの直線の折れ線で階調補正を行う。したがって、折れ線ポイントはＡ、Ｂ、Ｃの３点、折れ線の傾きはａ、ｂ、ｃ、ｄとなる。
まず、Ｖのブランキング期間となり、Ｖブランキングパルス入力端子Ｐ０１からＶブランキングパルスが入力されたとする。
すると、制御回路１０１は、ＶブランキングパルスによりＶブランキング期間の開始を検知し、選択信号Ｓ０２により選択器１０５に入力信号Ｘを選択させる。また、選択信号Ｓ０４により選択器１０４に信号Ｓ０７を選択させる。そして、所定のタイミングで選択信号Ｓ０１を発生する。
【００２８】
図３で示されるように、まず、選択信号Ｓ０１が“１”のときには、選択器１０２は折れ線の傾きとしてａを選択し、選択器１０３は差分値としてＡを選択する。そして、選択器１０２の選択したａと、選択器１０３の選択したＡとは、乗算器１１０にて乗算され、信号Ｓ１１は、Ａ’＝ａ×Ａとなる。この値Ａ’は、積分器１０８に始めて入力される値であるので、積分器１０８の出力もＡ’である。そして、このＡ’がレジスタ１０９に格納される。
【００２９】
選択信号Ｓ０１が“２”のときには、選択器１０２は折れ線の傾きとしてｂを選択し、選択器１０３は差分値としてＢ−Ａを選択する。そして、選択器１０２の選択したｂと、選択器１０３の選択したＢ−Ａとは、乗算器１１０にて乗算され、信号Ｓ１１は、Ｂ’＝ｂ×（Ｂ−Ａ）となる。この値Ｂ’は、積分器１０８にてＡ’と加算され、積分器１０８の出力はＡ’＋Ｂ’となり、この値がレジスタ１０９に格納される。
【００３０】
選択信号Ｓ０１が“３”のときには、選択器１０２は折れ線の傾きとしてｃを選択し、選択器１０３は差分値としてＣ−Ｂを選択する。そして、選択器１０２の選択したｂと、選択器１０３の選択したＣ−Ｂとは、乗算器１１０にて乗算され、信号Ｓ１１は、Ｃ’＝ｃ×（Ｃ−Ｂ）となる。この値Ｃ’は、積分器１０８にてＡ’＋Ｂ’と加算され、積分器１０８の出力はＡ’＋Ｂ’＋Ｃ’となり、この値がレジスタ１０９に格納される。
【００３１】
レジスタ１０９は、図２に示す各折れ線ポイントＡ、Ｂ、Ｃでの出力の値である、Ａ’、Ａ’＋Ｂ’、Ａ’＋Ｂ’＋Ｃ’を新たな値がレジスタ１０９に格納されるまでの期間、保持する。このようにして、制御回路１０１、選択器１０２〜１０４、差分演算器１０６、積分器１０８、及び乗算器１１０などからなる演算手段により、図２で示される入出力特性の折れ線の各折れ点に対応する出力値が算出される。
【００３２】
なお、この折れ線ポイントＡ、Ｂ、Ｃに対応する出力値Ａ’、Ａ’＋Ｂ’、Ａ’＋Ｂ’＋Ｃ’を、ブランキング期間ごとに毎回求めてもよく、あるいは、複数のブランキング期間ごとに求めてもよい。ただし、その出力値を求めるブランキング期間の開始時には、積分器１０８とレジスタ１０９とはリセットされる。
【００３３】
次に、Ｖブランキングパルス入力端子Ｐ０１からのＶブランキングパルスの入力が終了し、Ｖのブランキング期間が終わって、映像信号期間になったとする。すると、制御回路１０１は、Ｖブランキングパルスにより映像信号期間の開始を検知し、選択信号Ｓ０２により選択器１０５にリミッター１１８からの信号を選択させる。また、選択信号Ｓ０４により選択器１０４に差分信号Ｓ０８を選択させる。
【００３４】
レベル検出回路１０７に映像信号入力端子Ｐ０４から入力信号Ｘが入力されると、レベル検出回路１０７は各折れ線ポイントＡ、Ｂ、Ｃと、入力信号Ｘとを比較し、入力信号Ｘと各折れ線ポイントとの大小関係、すなわち入力信号Ｘのレベルがどの折れ線ポイントの間にあるかを識別し、その識別結果を識別信号Ｓ０９として制御回路１０１に出力する。また、入力信号Ｘより小さく、かつ、入力信号Ｘに一番近い折れ線ポイントと、入力信号Ｘとの差分を算出し、その差分の値を差分信号Ｓ０８として選択器１０４に出力する。
【００３５】
制御回路１０１は信号Ｓ０９に基づいて、信号Ｓ０３によりレジスタ１０９に保持されているデータを呼び出す。また、選択信号Ｓ０１により選択器１０２に入力される傾きのいずれかを選択する。ここで、傾きｄを選択する場合には、制御回路１０１は、制御信号Ｓ０１として“４”を選択回路１０２に出力する。
【００３６】
例えば、入力信号Ｘのレベルが折れ線ポイントＢとＣの間にあることを信号Ｓ０９に基づいて検知した場合は、制御回路１０１は、レジスタ１０９に保持されているＡ’＋Ｂ’の値を読み出す制御を行う。また、制御回路１０１は、選択器１０２を制御し、傾きｃを選択させる。この場合には、差分信号Ｓ０８はＸ−Ｂの値となる。なお、入力信号Ｘのレベルが０と折れ線ポイントＡとの間にある場合には、制御回路１０１は、レジスタ１０９に対して“０”を出力させる制御を行う。
【００３７】
乗算器１１０は、映像信号期間において求められた差分信号Ｓ０８と、入力信号レベルに対応した傾き信号Ｓ０５とを乗算する。その乗算結果と信号Ｓ０３に基づいてレジスタ１０９から呼び出された折れ線ポイントでの出力値Ｓ１３とが加算器１１１で加算され、その加算結果の信号Ｓ１４はリミッター１１８に出力される。そして、リミッター１１８により上限値以下に制限され、選択器１０５を介して映像信号出力端子Ｐ０５から補正出力信号Ｙとして出力される。
【００３８】
このようにして、制御回路１０１、選択器１０２、１０４、レベル検出器１０７、レジスタ１０９、乗算器１１０、及び加算器１１１などからなる補正手段により、入力信号Ｘに対して、図２に示したような任意に設定した折れ線補正をかけた補正出力信号Ｙを得ることができる。ここで、折れ線の各折れ点に対応する出力値を算出する演算手段と、この補正手段とは、選択器１０２や乗算器１１０などの所定の回路を共有しているため、回路規模の増大を抑えることができる。
【００３９】
なお、本実施の形態１では、折れ線の傾きとしてａ，ｂ，ｃ，ｄの４つの値を用い、折れ線ポイントとしてＡ，Ｂ，Ｃの３つの値を用いた場合について説明したが、この折れ線の傾きの数と、折れ線ポイントの数とは、図２で示されるような折れ線の形状により決まるものであり、本実施の形態１で説明したものに限定されるものではない。
【００４０】
また、本実施の形態１による階調補正回路１００はリミッター１１８を備える構成としたが、階調補正回路１００は、リミッター１１８を備えず、傾きｄを任意の値として、出力Ｙの最大値を超えないように傾きｄの値を設定するようにしてもよい。
【００４１】
以上のように、本実施の形態１による階調補正回路１００は、Ｖブランキング期間に各折れ線ポイントに対応する出力値を演算してレジスタ１０９に格納しておき、入力信号Ｘの入力値に応じて、制御回路１０１が折れ線の傾きとレジスタ１０９に格納された出力値との選択を行い、該入力信号Ｘに対して階調補正を行うことで、折れ線ポイントの数が増加しても、乗算器１１０と加算器１１１等の演算回路の増加を抑えることができ、精度の高い階調補正を、回路規模を増大させることなく、また、ルックアップテーブルを記憶させたメモリを用いることなく実現することができる効果が得られる。
【００４２】
（実施の形態２）
以下、本発明の実施の形態２による階調補正回路について、図面を参照しながら説明する。
図４は、本実施の形態２による階調補正回路の構成を示すブロック図である。図４において、本実施の形態２による階調補正回路２００は、映像検出制御回路１１３をさらに備えたものである。なお、映像検出制御回路１１３に関わる以外の構成、及び動作は、実施の形態１と同様であり、その説明を省略する。
【００４３】
映像検出制御回路１１３は、入力された映像の状態、例えば、輝度の最大値、最小値、あるいは平均輝度レベル等を検出し、各折れ線の傾きや、各折れ線ポイントを制御し、映像の状態に基づいて適切な値に設定する。映像検出制御回路１１３は、この各折れ線の傾きや、各折れ線ポイントなどの折れ線の階調補正特性を、映像の１ブランキング期間単位、あるいは複数のブランキング期間単位で演算するため、折れ線ポイント、傾き設定をＶレート単位、あるいは複数のＶレート単位で変更することが可能である。
【００４４】
以上のように、本実施の形態２による階調補正回路によれば、映像の状態に基づいて階調補正特性を所定のブランキング期間単位で演算する映像検出制御回路１１３をさらに備えたことで、階調補正回路２００の補正特性をリアルタイムに与えることができ、画質改善などに効果的に使用できる効果が得られる。
【００４５】
（実施の形態３）
以下、本発明の実施の形態３によるγ補正装置について、図面を参照しながら説明する。
図５は、本実施の形態３によるγ補正装置の構成を示すブロック図である。
図５において、本実施の形態３によるγ補正装置は、第１の階調補正回路１１４と、第２の階調補正回路１１５と、第３の階調補正回路１１６とを備える。なお、第１〜第３の階調補正回路１１４〜１１６は、それぞれ、実施の形態１による階調補正回路１００と同様のものであり、その構成、及び動作の説明を省略する。
【００４６】
本実施の形態３によるγ補正装置は、階調補正回路１１４〜１１６に入力される信号を、それぞれ、Ｒ信号、Ｇ信号、Ｂ信号とし、それぞれのＲＧＢ信号ごとに異なった補正特性により階調補正を行うことができる。
したがって、本実施の形態３によるγ補正装置によれば、Ｒ信号に対する第１の階調補正回路１１４、Ｇ信号に対する第２の階調補正回路１１５、Ｂ信号に対する第３の階調補正回路１１６をそれぞれ独立に制御し、それぞれ異なる補正特性を与えることにより、入力映像信号に対してより効果的な映像補正が可能になる。
【００４７】
【発明の効果】
以上の説明から明らかなように、本発明による諧調補正回路は、入力映像信号に対し、折れ線のポイントと傾きの設定による折れ線で示される入出力特性に基づいて階調補正回路において、垂直ブランキング期間に、前記折れ線による入出力特性に基づき、設定した折れ点ポイントの入力値に対応する出力値を算出する演算手段と、映像信号期間に、前記各折れ点に対応する入力値である各折れ線ポイントと入力映像信号との大小関係を識別し、該入力映像信号と折れ線ポイントとの差分を算出するレベル検出回路と、該レベル検出回路による識別結果に基づいて折れ線の傾きを選択し、該選択した折れ線の傾きと、前記演算手段により算出された出力値と、該レベル検出回路により算出された差分とに基づいて入力映像信号に対して階調補正を行う補正手段と、を備え、前記演算手段と前記補正手段とは互いに回路を共有し、該共有された回路は、垂直ブランキング期間では前記演算手段、前記映像信号期間では補正手段として機能するようにしたので、精度の高い諧調補正を、回路規模を増大させることなく、また、ルックアップテーブルを記憶させたメモリを用いることなく実現することができる効果が得られる。
【００４８】
また、本発明による諧調補正回路は、入力映像信号に対し、折れ線で示される入出力特性に基づいて階調補正を行う階調補正回路において、前記折れ線の複数の傾きからいずれか一つを選択する第１の選択器と、前記折れ線の折れ点に対応する入力値である複数の折れ線ポイントの差分を計算する差分演算器と、該差分演算器により計算された差分値のいずれか一つを選択する第２の選択器と、前記折れ線ポイントと入力映像信号とを入力とし、該入力映像信号がどの折れ線ポイント間にあるかを識別し、該入力映像信号と折れ線ポイントとの差分を算出するレベル検出回路と、該レベル検出回路により算出された差分値と前記第２の選択器により選択された差分値とのいずれかを選択する第３の選択器と、前記第１の選択器により選択された折れ線の傾きと前記第３の選択器により選択された差分値とを乗算する乗算器と、該乗算器により乗算された値を、順次足し合わせる積分器と、該積分器により足し合わされた乗算結果を、各折れ点に対応する出力値として保持するレジスタと、該レジスタからの出力値と前記乗算器により乗算された値とを加算する加算器と、前記レベル検出回路からの識別結果と垂直ブランキングパルスとに基づいて、前記第１，第２，第３の選択器と前記レジスタとの制御を行う制御回路とを備え、前記制御回路は、前記垂直ブランキングパルスにより垂直ブランキング期間の開始を検知すると、前記第１の選択器に入力されている折れ線の傾きと前記第２の選択器に入力されている折れ線ポイントの差分値とを折れ線に対応するよう順次出力するように選択信号を出力するとともに、前記第３の選択器が該第２の選択器からの出力を出力するように選択信号を出力し、前記積分器は該第１の選択器の出力信号である折れ線の傾きと該第３の選択器の出力信号である折れ線ポイントの差分とが前記乗算器により乗算されたものを順次積分して前記レジスタに出力し、該レジスタは当該折れ線ポイント毎の演算結果を保持し、前記制御回路は、前記垂直ブランキングパルスにより映像信号期間の開始を検知すると、前記第３の選択器が前記レベル検出回路の出力信号を選択するように選択信号を出力し、該レベル検出回路からの識別結果に基づいて、前記第１の選択器に該識別結果に対応する折れ線の傾きを選択させるとともに、前記レジスタに該識別結果に対応する値を出力させるように制御を行い、前記乗算器は前記レベル検出回路の出力信号である差分と折れ線の傾きとを乗算し、前記加算器はこの乗算結果と前記レジスタに保持されたデータとを加算することにより補正を行うようにしたので、精度の高い諧調補正を、回路規模を増大させることなく、また、ルックアップテーブルを記憶させたメモリを用いることなく実現することができる効果が得られる。
【００４９】
また、本発明によるγ補正装置は、Ｒ信号、Ｇ信号、Ｂ信号ごとに階調補正回路を備え、それぞれ独立に制御し、それぞれ異なる補正特性を設定することにより、入力映像信号に対して効果的な映像補正を行うことが可能になる。
【図面の簡単な説明】
【図１】本発明の実施の形態１による階調補正回路の構成を示すブロック図である。
【図２】本発明の実施の形態１による階調補正回路の入出力特性を示す図である。
【図３】本発明の実施の形態１による階調補正回路の動作を説明するためのタイミングチャートである。
【図４】本発明の実施の形態２による階調補正回路の構成を示すブロック図である。
【図５】本発明の実施の形態３によるγ補正装置の構成を示すブロック図である。
【図６】従来の階調補正回路の構成を示すブロック図である。
【符号の説明】
１００、２００  階調補正回路
１０１  制御回路
１０２〜１０５  選択器
１０６  差分演算器
１０７  レベル検出回路
１０８  積分器
１０９  レジスタ
１１０  乗算器
１１１  加算器
１１８  リミッター
３００  γ補正装置
Ｐ０１  Ｖブランキングパルス入力端子
Ｐ０２  折れ線傾きデータ入力端子
Ｐ０３  折れ線ポイント入力端子
Ｐ０４  映像信号入力端子
Ｐ０５  映像信号出力端子
【図１】
0003586432.tif 000002
【図２】
0003586432.tif 000003
【図３】
0003586432.tif 000004
【図４】
0003586432.tif 000005
【図５】
0003586432.tif 000006
【図６】
0003586432.tif 000007